(57)【要約】【課題】缶入り飲料、ボトル入り飲料等を収容する本体の保冷・保温効果を向上させた飲料又は食品用卓上冷蔵・温蔵器を提供すること。【解決手段】缶入り飲料、ボトル入り飲料や食品が収容される本体１内の金属製容器２の上方に開口部１ａを設け、ペルチェ素子１１を外面に取り付けた熱伝導体１０を容器２の側面に固定し、そのペルチェ素子１１の背面に取り付けられた放熱フィン１２に送風を行うための電動ファン２０と、そのペルチェ素子１１に供給する直流電流の向きを変えて冷却・加熱作用を切り替える切替スイッチ２１とを本体１に設け、容器２の外側と本体１の内側との間に形成される空洞部に断熱素材７を充填するように構成した。【選択図】  図２
2004294016.tif 000002
【特許請求の範囲】
【請求項１】
缶入り飲料、ボトル入り飲料や食品が収容される本体内の金属製容器の上方に開口部を設け、ペルチェ素子を外面に取り付けた熱伝導体を該容器の側面に固定し、そのペルチェ素子の背面に取り付けられた放熱フィンに送風を行うための電動ファンと、そのペルチェ素子に供給する直流電流の向きを変えて冷却・加熱作用を切り替える切替スイッチとを前記本体に設け、前記容器の外側と該本体の内側との間に形成される空洞部に断熱素材を充填し又は該容器の外周囲を断熱材で被覆するように構成したことを特徴とする飲料又は食品用卓上冷蔵・温蔵器。
【請求項２】
缶入り飲料、ボトル入り飲料や食品が収容される本体内の金属製容器にそれらを出し入れする扉を開閉自在に設け、ペルチェ素子を外面に取り付けた熱伝導体を該容器の側面に固定し、そのペルチェ素子の背面に取り付けられた放熱フィンに送風を行うための電動ファンと、そのペルチェ素子に供給する直流電流の向きを変えて冷却・加熱作用を切り替える切替スイッチとを前記本体に設け、前記容器の外側と該本体の内側との間に形成される空洞部に断熱素材を充填し又は該容器の外周囲を断熱材で被覆するように構成したことを特徴とする飲料又は食品用卓上冷蔵・温蔵器。
【発明の詳細な説明】
【０００１】
【発明の属する技術分野】
本発明は、飲料又は食品に用いられる簡便な卓上冷蔵・温蔵器に関する。
【０００２】
【従来の技術】
家庭や自動車内などにおいて、缶入り飲料やペットボトル入り飲料を保冷又は保温しておいて適時にそれらを飲むために用いられる飲料用保温保冷器としては、例えば、特開２００１−２０８４６５号の公開特許公報に開示されている。その「飲料用保温保冷器」は、ペルチェ素子の両面にヒートシンクを取り付け、ペルチェ素子に発生した熱を送風装置による風に乗せて飲料容器に吹き付けると共にその風を循環するようにした構造とされている。
【０００３】
【発明が解決しようとする課題】
上述した従来の「飲料用保温保冷器」の明細書には、飲料容器の側面と内壁の間を通り抜けた冷気又は暖気が内壁部に設けた穴を抜け、その穴から内壁の外側の通路を通って外に排出されると説明されている。しかし、飲料容器の側面を通り抜けた冷気又は暖気の一部は穴に抜けるとしても、その大部分がそのまま上方に排出されると考えられ、エネルギー効果の点において必ずしも有利であるとは言えない。
【０００４】
この発明の目的は、缶入り飲料、ボトル入り飲料等を収容する本体の保冷・保温効果を向上させた飲料又は食品用卓上冷蔵・温蔵器を提供することにある。
【０００５】
【課題を解決するための手段】
前記目的を達成するために請求項１に記載した発明は、缶入り飲料、ボトル入り飲料や食品が収容される本体内の金属製容器の上方に開口部を設け、ペルチェ素子を外面に取り付けた熱伝導体を該容器の側面に固定し、そのペルチェ素子の背面に取り付けられた放熱フィンに送風を行うための電動ファンと、そのペルチェ素子に供給する直流電流の向きを変えて冷却・加熱作用を切り替える切替スイッチとを前記本体に設け、前記容器の外側と該本体の内側との間に形成される空洞部に断熱素材を充填し又は該容器の外周囲を断熱材で被覆するように構成したことを特徴とするものである。
【０００６】
同様の目的を達成するために請求項２に記載した発明は、缶入り飲料、ボトル入り飲料や食品が収容される本体内の金属製容器にそれらを出し入れする扉を開閉自在に設け、ペルチェ素子を外面に取り付けた熱伝導体を該容器の側面に固定し、そのペルチェ素子の背面に取り付けられた放熱フィンに送風を行うための電動ファンと、そのペルチェ素子に供給する直流電流の向きを変えて冷却・加熱作用を切り替える切替スイッチとを前記本体に設け、前記容器の外側と該本体の内側との間に形成される空洞部に断熱素材を充填し又は該容器の外周囲を断熱材で被覆するように構成したことを特徴とするものである。
【０００７】
【発明の作用及び効果】
（請求項１の発明）
（１）冷蔵の場合
卓上冷蔵・温蔵器のペルチェ素子に５．５〜６アンペア、４〜１２ボルトの直流電流が供給されると、公知のペルチェ効果によりペルチェ素子の内表面が冷却されて熱伝導体を冷却する。その熱伝導体の吸熱作用により、断熱構造とされた本体内の金属製容器自体が冷却状態に維持される。しかして、その容器内に缶入り飲料、ボトル入り飲料などを入れておけば、それらは適度な温度に保冷される。
他方、ペルチェ素子の背面（外表面）に発生する熱は放熱フィンに伝わり、その放熱フィンの熱は電動ファンによる送風により外部に放出される。
（２）温蔵の場合
卓上冷蔵・温蔵器のペルチェ素子に５．５〜６アンペア、４〜１２ボルトの範囲に設定される直流電流が供給されると、公知のペルチェ効果によりペルチェ素子の内表面が加熱されて熱伝導体を加熱する。その熱伝導体の放熱作用により、断熱構造とされた本体内の金属製容器自体が加温状態に維持される。しかして、その容器内に缶入り飲料、ボトル入り飲料などを入れておけば、それらは適度な温度に温められる。
【０００８】
（請求項２の発明）
ペットボトル入り飲料等を出し入れ可能な扉を本体に設けることにより、本体が密閉される構造とされるので、保冷・保温効果が一層向上する。その他の作用については、請求項１の発明の作用に準ずるので、説明を省く。
【０００９】
この飲料又は食品用卓上冷蔵・温蔵器は、ペットボトル入り飲料等を収容する本体を断熱構造としているので、保冷・保温効果が良好であり、利便性に優れる。
【００１０】
【発明の実施の形態】
以下に、本発明の実施の形態例を図面に基づいて説明する。図１は飲料又は食品用卓上冷蔵・温蔵器の斜視図、図２は同、縦断側面図、図３は同、平断面図、図４は同、背面図である。
【００１１】
図１に示す本発明の飲料又は食品用卓上冷蔵・温蔵器Ｃは、缶入り飲料、ペットボトル入り飲料や食品等を本体１の開口部１ａから保冷又は保温状態に維持される容器２内に収容する構成されている。
【００１２】
上記本体１の容器２は、図３に示すように、二つに分割して形成されたアルミニゥム製の側壁片３ａ，３ｂを合体させてほぼ円筒形とされている。その容器２は、底蓋５の内方に突設された固定座６に下端部を内側から挿入し、他方、その上端部に本体１の開口部１ａの段部１ｂが宛がわれて当該本体１により全体を外側から覆われるように設けられている。そして、本体１の下部１ｃに底蓋５から通したビス８を締め付けて、当該本体１に底蓋５が取り付けられている。
【００１３】
上記容器２の外側と本体１の内側との間に形成される空洞部には、発泡ポリスチレン、発泡ウレタンフォーム材料等の断熱素材７が隙間なく充填されていて、本体１を断熱構造としている。なお、その断熱構造については、容器２の外周囲をウレタンフォーム材料等の断熱材で被覆する構成にすることも可能である。
【００１４】
上記側壁片３ａのほぼ中間部の外面には、直流電流を供給することによって素子の両表面が加熱・冷却する現象を示す公知の「ペルチェ素子（ペルチェモジュール）」１１を外面１０ａに密着させて取り付けたブロック形状のアルミニゥム製熱伝導体１０が固定されている。その熱伝導体１０には、ペルチェ素子１１の背面（外表面）に平坦な裏面１２ａをあてがってからサンドイッチ状態に放熱フィン１２が重ねられて取り付けられている。
【００１５】
上記側壁片３ａの外方に突出するように形成された本体１の後枠部１ｄには、空気の吸込口１６と排出口１７とを設けたカバー１５が取り付けられている。そのカバー１５の内面には、放熱フィン１２に送風を行うための小型電動ファン２０を設けている。また、カバー１５の内方に配置された電子回路基板１９には、上記ペルチェ素子１１に供給する電流の向きを変えて冷却・加熱作用を切り替えるための切替スイッチ２１、電源スイッチ２２、電源の供給端子２３、保冷用表示ランプ２４、保温用表示ランプ２５を設けている。
【００１６】
なお、前記ペルチェ素子１１に供給する電流については、５．５〜６アンペア、４〜１２ボルトの範囲内に設定される直流電源を必要とするが、交流電源（ＡＣ）を直流電源（ＤＣ）に変換する一般的なアダプタ、自動車のシガーソケットなどの電源を利用することが考えられる。
【００１７】
また、この卓上冷蔵・温蔵器Ｃの本体１の開口部１ａは全体を開放された形態とされているところ、例えば、ペットボトル入り飲料等を入れたときに当該ボトルの周部と開口部１ａとに生ずる隙間を防ぐ変形可能なリング部材を用いることにより、内部の冷気又は暖気を外部に逃さないようにすることもできる。
【００１８】
つぎに、かかる構成になる本発明の「飲料又は食品用卓上冷蔵・温蔵器」Ｃの作用及び取り扱い方について説明を行う。
（保冷の場合）
切替スイッチ２１を「保冷」側にセットしてから、電源スイッチ２２を入れる。これにより、ペルチェ素子１１に直流電流が供給され、ペルチェ素子１１の内面が冷却されて熱伝導体１０が冷却される。容器２の室内ｒは、その熱伝導体１０の吸熱作用によって冷却状態を維持される。しかして、その室内ｒに３５０ｃｃか５００ｃｃ容量の缶入り飲料やペットボトル入り飲料などを入れておけば、それらは適度な温度に保冷される。
【００１９】
なお、この卓上冷蔵・温蔵器Ｃの使用中において、ペルチェ素子１１の背面に熱が発生するが、その熱は放熱フィン１２に伝えられて、小型電動ファン２０の送風によりカバー１５の排出口１７から外へ放出される。
【００２０】
（保温の場合）
切替スイッチ２１を「保温」側にセットしてから、電源スイッチ２２を入れる。これにより、ペルチェ素子１１に直流電流が供給され、ペルチェ素子１１の内面が加熱されて熱伝導体１０が加熱される。容器の室内ｒは、その熱伝導体１０の放熱作用によって保温状態に維持される。しかして、その室内ｒに缶入り飲料やペットボトル入り飲料などを入れておけば、それらは適度な温度に温められる。
【００２１】
上述した飲料又は食品用卓上冷蔵・温蔵器Ｃは、本体１の上方が開放された構造とされているところ、本体の胴部にペットボトル入り飲料等を出し入れ可能な扉を開閉自在に設けた構造（請求項２に記載の発明）とすることにより、保冷・保温効果がさらに良好となり、エネルギー効率が高くなる。
【００２２】
以上に述べた通り、この飲料又は食品用卓上冷蔵・温蔵器は、ペットボトル入り飲料等を収容する本体を断熱構造とすることにより、保冷・保温効果が良好となり、使い勝手に優れるという利点がある。
【図面の簡単な説明】
【図１】飲料又は食品用卓上冷蔵・温蔵器の斜視図
【図２】同、縦断側面図
【図３】同、平断面図
【図４】同、背面図
【符号の説明】
Ｃ・・・飲料又は食品用卓上冷蔵・温蔵器
１・・・本体
１ａ・・・開口部
２・・・容器
５・・・底蓋
７・・・断熱素材
１０・・・熱伝導体
１１・・・ペルチェ素子
１２・・・放熱フィン
２０・・・電動ファン
２１・・・切替スイッチ
【図１】
2004294016.tif 000003
【図２】
2004294016.tif 000004
【図３】
2004294016.tif 000005
【図４】
2004294016.tif 000006